(57)【要約】      （修正有）【課題】貼付対象物に関する主情報および副情報を貼付によって当該貼付対象物に簡単に表示することができるラベル本体を有するラベル、ラベル本体が貼付対象物に貼付されたラベル貼付物、並びに、ラベル本体がケース本体に貼付された検体容器収納ケース、当該検体容器収納ケースを備える検体採取用キットの提供。【解決手段】貼付対象物における被貼付部の表面にラベル本体２が貼付され、ラベル本体２は、表面に貼付対象物に関する主情報表示領域を有し、裏面の一部の領域を覆うよう情報表示シート５が設けられ、情報表示シート５の表面に貼付対象物に関する副情報が表示されてなり、ラベル本体２は剥離性シート６より剥離されたものであり、情報表示シート５が、剥離性シート６における切り込み６Ｋに囲まれた部分により構成され、表面にラベル本体２が貼付された被貼付部の裏面側から、貼付対象物に関する副情報を視認し得る。【選択図】図１
2018205159.tif 000002
【特許請求の範囲】
【請求項１】
貼付対象物における被貼付部の表面にラベル本体が貼付されたラベル貼付物であって、
前記ラベル本体は、表面に前記貼付対象物に関する主情報表示領域を有するラベル基材、当該ラベル基材の裏面に形成された粘着性層、および、粘着性層上の一部の領域を覆うよう設けられた情報表示シートを有し、前記情報表示シートの粘着性層と接触しない表面に貼付対象物に関する副情報が表示されてなるものであり、
当該ラベル本体は、表面が当該ラベル本体の粘着性層に対して剥離性を有する剥離性シートの表面に剥離可能に支持されてなるラベルより剥離されたものであり、
当該ラベル本体の前記情報表示シートが、前記剥離性シートにおける切り込みに囲まれた部分により構成され、
貼付対象物における被貼付部は、表面にラベル本体が貼付された当該被貼付部の裏面側から、当該被貼付部を介して前記貼付対象物に関する副情報を視認し得るものであることを特徴とするラベル貼付物。
【請求項２】
検体容器を収納するケース本体における被貼付部の表面にラベル本体が貼付された検体容器収納ケースであって、
前記ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなるものであり、
当該ラベル本体は、表面が当該ラベル本体の粘着性層に対して剥離性を有する剥離性シートの表面に剥離可能に支持されてなるラベルより剥離されたものであり、
当該ラベル本体の前記情報表示シートが、前記剥離性シートにおける切り込みに囲まれた部分により構成され、
検体容器を収納するケース本体における被貼付部は、表面にラベル本体が貼付された当該被貼付部の裏面側から、当該被貼付部を介して前記インストラクション情報を視認し得るものであることを特徴とする検体容器収納ケース。
【請求項３】
前記インストラクション情報が、検体の採取方法を示すイラストレーションであることを特徴とする請求項２に記載の検体容器収納ケース。
【請求項４】
前記ケース本体が、樹脂シートの成形品よりなり、一方のケース部材と他方のケース部材とにより内部に検体容器収納空間を形成するブリスターパックであり、
前記一方のケース部材の表面に、前記ラベル本体が貼付されてなることを特徴とする請求項２または請求項３のいずれかに記載の検体容器収納ケース。
【請求項５】
前記ケース本体が、前記一方のケース部材と前記他方のケース部材とにより内部に検体容器収納空間が形成され状態において、当該一方のケース部材に貼付された前記ラベル本体の情報表示シートに表示されたインストラクション情報を、当該他方のケース部材の表面側から、当該他方のケース部材および一方のケース部材を介して視認し得るものであることを特徴とする請求項４に記載の検体容器収納ケース。
【請求項６】
請求項１に記載のラベル貼付物に用いられるラベル本体を有するラベルであって、
ラベル本体は、表面に貼付対象物に関する主情報表示領域を有するラベル基材、当該ラベル基材の裏面に形成された粘着性層、および、粘着性層上の一部の領域を覆うよう設けられた情報表示シートを有し、前記情報表示シートの粘着性層と接触しない表面に貼付対象物に関する副情報が表示されてなり、
当該ラベル本体は、表面が当該ラベル本体の粘着性層に対して剥離性を有する剥離性シートの表面に剥離可能に支持されてなり、
当該ラベル本体の前記情報表示シートが、前記剥離性シートにおける切り込みに囲まれた部分により構成されていることを特徴とするラベル。
【請求項７】
請求項２乃至請求項５のいずれかに記載の検体容器収納ケースに用いられるラベル本体を有するラベルであって、
ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなり、
当該ラベル本体は、表面が当該ラベル本体の粘着性層に対して剥離性を有する剥離性シートの表面に剥離可能に支持されてなり、
当該ラベル本体の前記情報表示シートが、前記剥離性シートにおける切り込みに囲まれた部分により構成されていることを特徴とするラベル。
【請求項８】
前記検体管理情報および／または前記インストラクション情報は、印刷により記載されてなることを特徴とする請求項７に記載のラベル。
【請求項９】
検体容器と、この検体容器を収納する、請求項２乃至請求項５のいずれかに記載の検体容器収納ケースとを備えてなることを特徴とする検体採取用キット。
【発明の詳細な説明】
【技術分野】
【０００１】
本発明はラベル、当該ラベルより剥離されたラベル本体が貼付されたラベル貼付物および検体容器収納ケース、並びに、当該検体容器収納ケースを備える検体採取用キットに関し、特に、例えば便試料を内部に保持した採便管の輸送用のものとして好適に用いられるケース本体にラベル本体が貼付された検体容器収納ケースに関する。
【背景技術】
【０００２】
一般に、例えば免疫学的便潜血検査などの便検査を行う場合には、例えば便試料を採取するために用いられる採便管が検査センター（検査機関）において専用のチャック付き袋等の輸送用袋に入れられた状態で被検験者に発送され、被検者自身によって採便された後、輸送用袋および採便管に名前等が記入されて検査センターに返送されるシステムが利用されている。このようなシステムが利用されることは、例えば特許文献１に記載されている。
そして、検査センターにおいては、返送された輸送用袋の記載内容等が確認、登録された後、検査員によって輸送用袋から採便管が取り出され、検査機にかけられて各種検査が行われる。
【先行技術文献】
【特許文献】
【０００３】
【特許文献１】特開２００４−１２５４０８号公報
【発明の概要】
【発明が解決しようとする課題】
【０００４】
一方、採便管の輸送に際して、従来の専用チャック付きの輸送用袋等による包装形態が用いられるのでは、輸送用袋内での採便管の向きが一定にならない。このため、輸送用袋から採便管を取り出すためには、人手に頼るしかないのが現状であって、採便管の取り出し工程の自動化を図ることが困難である、という問題があった。
このような問題を解決するためには、例えば、輸送用袋として、収納された物品を容易に取り出すことができ、特に採便管の輸送用のものとして構成された場合において、便試料の検査を行う際の採便管の取り出し工程の自動化を図ることが容易な検体容器収納ケースを用いることが有効であると考えられる。
【０００５】
然るに、このように採便管の輸送に検体容器収納ケースを用いる場合には、便試料の採取に係る情報等の同封に係る作業が煩雑化してしまう、という問題がある。
具体的には、便試料の採取に係る情報としては、被験者に関する情報および採便方法の説明に関する情報などが挙げられる。これらのうち、被験者に関する情報については、被験者の取り違えなどの誤認を防止するために、例えば検体容器収納ケースの表面に当該被験者に関する情報が表示されたラベルが貼付されることにより、表示されることが望ましい。一方、採便方法の説明に関する情報については、検体容器収納ケース自体が採便管のサイズに合わせた小さなサイズのものとされるので、これを表示するスペースを確保し難く、さらに、検体容器収納ケースが例えばブリスターパックよりなる場合は、その性質上、ラベルを貼付する平坦面を確保し難い、という問題がある。また、採便管の輸送に従来の専用チャック付きの輸送用袋を用いる場合は、当該輸送用袋内に採便方法の説明に関する情報が表示された紙面をそのまま或いは四つ折り程度に畳んで同封すればよかったが、ブリスターパックを用いる場合は、採便方法の説明に関する情報が表示された紙面は仮に畳んだとしても収容する空間がない、或いは、採便方法の説明に関する情報が表示された紙面を収容する空間が設けられていたとしても、当該紙面を畳んで同封するときにこの紙面を当該ブリスターパック内に収容することができるよう小さく畳むという煩雑な作業が求められる、という問題も生じる。
【０００６】
本発明は、以上のような事情に基づいてなされたものであって、便試料の採取に係る情報等の、貼付対象物に関する主情報および副情報を貼付によって当該貼付対象物に簡単に表示することができるラベル本体を有するラベル、当該ラベルより剥離されたラベル本体が貼付対象物に貼付されたラベル貼付物、並びに、検体管理情報およびケース本体に収容される検体容器の使用に関するインストラクション情報を貼付によってケース本体に簡単に添付することができるラベル本体を有するラベル、当該ラベルより剥離されたラベル本体がケース本体に貼付された検体容器収納ケース、当該検体容器収納ケースを備える検体採取用キットを提供することを目的とする。
【課題を解決するための手段】
【０００７】
本発明のラベル貼付物は、貼付対象物における被貼付部の表面にラベル本体が貼付されたラベル貼付物であって、
前記ラベル本体は、表面に前記貼付対象物に関する主情報表示領域を有するラベル基材、当該ラベル基材の裏面に形成された粘着性層、および、粘着性層上の一部の領域を覆うよう設けられた情報表示シートを有し、前記情報表示シートの粘着性層と接触しない表面に貼付対象物に関する副情報が表示されてなるものであり、
当該ラベル本体は、表面が当該ラベル本体の粘着性層に対して剥離性を有する剥離性シートの表面に剥離可能に支持されてなるラベルより剥離されたものであり、
当該ラベル本体の前記情報表示シートが、前記剥離性シートにおける切り込みに囲まれた部分により構成され、
貼付対象物における被貼付部は、表面にラベル本体が貼付された当該被貼付部の裏面側から、当該被貼付部を介して前記貼付対象物に関する副情報を視認し得るものであることを特徴とする。
【０００８】
本発明の検体容器収納ケースは、検体容器を収納するケース本体における被貼付部の表面にラベル本体が貼付された検体容器収納ケースであって、
前記ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなるものであり、
当該ラベル本体は、表面が当該ラベル本体の粘着性層に対して剥離性を有する剥離性シートの表面に剥離可能に支持されてなるラベルより剥離されたものであり、
当該ラベル本体の前記情報表示シートが、前記剥離性シートにおける切り込みに囲まれた部分により構成され、
検体容器を収納するケース本体における被貼付部は、表面にラベル本体が貼付された当該被貼付部の裏面側から、当該被貼付部を介して前記インストラクション情報を視認し得るものであることを特徴とする。
【０００９】
本発明の検体容器収納ケースにおいては、前記インストラクション情報が、検体の採取方法を示すイラストレーションであることが好ましい。
【００１０】
本発明の検体容器収納ケースにおいては、前記ケース本体が、樹脂シートの成形品よりなり、一方のケース部材と他方のケース部材とにより内部に検体容器収納空間を形成するブリスターパックであり、
前記一方のケース部材の表面に、前記ラベル本体が貼付されてなる構成とすることができる。
【００１１】
上記の検体容器収納ケースにおいては、前記ケース本体が、前記一方のケース部材と前記他方のケース部材とにより内部に検体容器収納空間が形成され状態において、当該一方のケース部材に貼付された前記ラベル本体の情報表示シートに表示されたインストラクション情報を、当該他方のケース部材の表面側から、当該他方のケース部材および一方のケース部材を介して視認し得るものであることが好ましい。
【００１２】
本発明のラベルは、上記のラベル貼付物に用いられるラベル本体を有するラベルであって、
ラベル本体は、表面に貼付対象物に関する主情報表示領域を有するラベル基材、当該ラベル基材の裏面に形成された粘着性層、および、粘着性層上の一部の領域を覆うよう設けられた情報表示シートを有し、前記情報表示シートの粘着性層と接触しない表面に貼付対象物に関する副情報が表示されてなり、
当該ラベル本体は、表面が当該ラベル本体の粘着性層に対して剥離性を有する剥離性シートの表面に剥離可能に支持されてなり、
当該ラベル本体の前記情報表示シートが、前記剥離性シートにおける切り込みに囲まれた部分により構成されていることを特徴とする。
【００１３】
本発明のラベルは、上記の検体容器収納ケースに用いられるラベル本体を有するラベルであって、
ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなり、
当該ラベル本体は、表面が当該ラベル本体の粘着性層に対して剥離性を有する剥離性シートの表面に剥離可能に支持されてなり、
当該ラベル本体の前記情報表示シートが、前記剥離性シートにおける切り込みに囲まれた部分により構成されていることを特徴とする。
【００１４】
本発明のラベルにおいては、前記検体管理情報および／または前記インストラクション情報は、印刷により記載されてなる構成とすることができる。
【００１５】
本発明の検体採取用キットは、検体容器と、この検体容器を収納する、上記の検体容器収納ケースとを備えてなることを特徴とする。
【発明の効果】
【００１６】
本発明のラベル貼付物は、表面に貼付対象物に関する主情報表示領域を有すると共に裏面に当該貼付対象物に関する副情報が表示されたラベル本体が、貼付対象物の被貼付部に貼付され、当該被貼付部が、表面にラベル本体が貼付された当該被貼付部の裏面側から、当該被貼付部を介して貼付対象物に関する副情報を視認し得るものである。
従って、本発明のラベル貼付物によれば、ラベル本体の貼付対象物への貼付という簡単な作業によって、貼付対象物に関する主情報を貼付対象物に貼付されたラベル本体の表面に表示させることができると共に、貼付対象物に関する副情報を、当該貼付対象物の裏面側から被貼付部を介して視認することができる。
その結果、貼付対象物がラベル本体を貼付することのできる部分が小さいものであったとしても、所期の貼付対象物に関する主情報および副情報を確実に貼付対象物に表示することができる。また、ラベル本体の貼付対象物への貼付という一度の作業によって、貼付対象物に関する主情報および副情報を、当該貼付対象物の表面および裏面に容易に表示することができる。
【００１７】
本発明のラベルは、表面に貼付対象物に関する主情報表示領域を有すると共に裏面に当該貼付対象物に関する副情報が表示されたラベル本体が有するものである。従って、本発明のラベルによれば、貼付対象物が被貼付部の小さいものであったとしても、所期の貼付対象物に関する主情報および副情報を確実に貼付対象物に表示することができる。また、ラベル本体の貼付対象物への貼付という一度の作業によって、貼付対象物に関する主情報および副情報を、当該貼付対象物の表面および裏面に容易に表示することができる。
【図面の簡単な説明】
【００１８】
【図１】本発明のラベル貼付物および当該ラベル貼付物に用いられるラベル本体を有するラベルの構成を示す図であって、（ａ）は、ラベル貼付物を模式的に示す断面図、（ｂ）は、ラベルを模式的に示す断面図、（ｃ）は、ラベルを模式的に示す斜視図、（ｄ）は、剥離性シートの台紙シートから剥離されたラベル本体を模式的に示す断面図である。
【図２】本発明のラベルの一例における表面を示す説明図である。
【図３】図２に示すラベルの裏面を示す説明図である。
【図４】本発明の検体容器収納ケースを構成するケース本体の一例としてのブリスターパックの一例における構成を示す平面側斜視図である。
【図５】図４に示すブリスターパックが開状態とされた状態を示す平面側斜視図である。
【図６】図４に示すブリスターパックを展開した状態で示す平面側斜視図である。
【発明を実施するための形態】
【００１９】
以下、本発明の実施の形態について詳細に説明する。
【００２０】
〔ラベル貼付物〕
図１は、本発明のラベル貼付物および当該ラベル貼付物に用いられるラベル本体を有するラベルの構成を示す図であって、（ａ）は、ラベル貼付物を模式的に示す断面図、（ｂ）は、ラベルを模式的に示す断面図、（ｃ）は、ラベルを模式的に示す斜視図、（ｄ）は、剥離性シートの台紙シートから剥離されたラベル本体を模式的に示す断面図である。
本発明のラベル貼付物は、図１（ａ）に示されるように、貼付対象物Ｗにおける被貼付部９の表面にラベル本体２が貼付されたものである。
【００２１】
ラベル本体２は、図１（ｂ）、図１（ｃ）および図１（ｄ）にも示されるように、ラベル基材３と、当該ラベル基材３の裏面に形成された粘着性層４と、当該粘着性層４上の一部の領域４Ｒを覆うよう設けられた情報表示シート５とを有してなる。このラベル本体２は、表面が当該ラベル本体２の粘着性層４に対して剥離性を有する剥離性シート６の表面に剥離可能に支持されてなるラベル１より剥離によって分離されたものである。
そして、ラベル本体２の情報表示シート５は、剥離性シート６における切り込み６Ｋに全周が囲まれた部分により構成されている。すなわち、情報表示シート５は、ラベル１の剥離性シート６における、剥離性シート６の情報表示シート５以外の部分である台紙シート７を指で押さえることなどにより固定した状態でラベル基材３と粘着性層４とが積層されたラベル積層体８をその端部から当該剥離性シート６の台紙シート７と離間する方向に剥離する時に、粘着性層４に接着されたままラベル積層体８に追随して当該ラベル積層体８と共に剥離される島状部分によって、構成されている。
情報表示シート５の粘着性層４と接触しない表面、すなわち剥離性シート６の裏面は、貼付対象物Ｗに対して非粘着性のものとされている。
【００２２】
ラベル１において、粘着性層４は、ラベル基材３の裏面の全面に形成されていることが好ましい。
また、剥離性シート６の面方向の面積は、ラベル本体２の台紙シート７からの剥離のし易さの観点から、ラベル基材３と粘着性層４とが積層されたラベル積層体８の面方向の面積よりも大きいことが好ましい。
【００２３】
ラベル本体２の裏面、すなわち当該ラベル本体２を構成するラベル基材３の表面と反対側の面は、粘着性を示す粘着性層４が露出された領域（以下、「粘着性領域」ともいう。）と、当該粘着性領域以外の領域である、情報表示シート５によって粘着性層４が被覆された領域（以下、「副情報表示領域」ともいう。）とからなる。
ラベル本体２の裏面における副情報表示領域の大きさは、ラベル本体２の裏面の全領域における副情報表示領域が、貼付対象物Ｗに関する副情報を十分に表示することができるだけの面積を有し、かつ、ラベル本体２の裏面の全領域における粘着性領域が、貼付対象物Ｗの被貼付部９に対して必要な接着性を発揮することができる面積を有する程度の大きさとされる。
【００２４】
ラベル本体２の裏面における副情報表示領域の形状は、貼付対象物Ｗに関する副情報を確実に表示することができれば特に限定されず例えば矩形形状とされ、当該副情報表示領域の配置位置は、その四方の全周囲がいわゆるロの字状に粘着性領域に囲まれた位置に配置されているものとすることが好ましい。また例えば、副情報表示領域の配置位置は、貼付対象物Ｗの被貼付部９に対して必要な接着性が得られるのであれば、一辺が粘着性領域に接触していない、いわゆるコの字状に粘着性領域に囲まれた位置に配置されていてもよい。
【００２５】
ラベル本体２の表面には貼付対象物Ｗに関する主情報表示領域が設けられると共に、当該ラベル本体２の裏面には、貼付対象物Ｗに関する副情報が表示されている。
具体的には、図２に示されるように、ラベル本体２の表面であるラベル基材３の表面に、貼付対象物Ｗに関する主情報表示領域が設けられて、主情報が予め表示されている。一方、図３に示されるように、ラベル本体２の裏面における副情報表示領域（情報表示シート５の粘着性層４と接触しない表面）に、貼付対象物Ｗに関する副情報が予め表示されている。
貼付対象物Ｗに関する主情報および副情報は、それぞれ、図形および／または文字からなる画像情報であることが好ましい。本発明において、図形とは、絵柄などの観念を示す記号の他に、二次元コードなどの機械的に読み取られる記号も含む。
なお、ラベル基材３の表面に設けられた主情報表示領域は、主情報を後から表示することができるよう、空白によって構成されていてもよい。
【００２６】
ラベル本体２において、当該ラベル本体２の表裏面に表示される貼付対象物Ｗに関する主情報および副情報は、表面側から裏面側に向かってラベル基材３、粘着性層４および剥離性シート６が積層されてなるラベル１の状態において印刷を行うことによって、形成することができる。
印刷方法としては特に限定されず、ラベル基材３および剥離性シート６を形成する材料によって、種々の方法を選択することができる。印刷方法としては、例えば電子写真印刷、インクジェット印刷、サーマル印刷、オフセット印刷、グラビア印刷、スクリーン印刷などの公知の方法を用いることができる。
【００２７】
ラベル１におけるラベル基材３を構成する材料としては、例えば、紙基材、合成樹脂フィルム、これらの積層材や複合材、紙基材や合成樹脂フィルムを基体とした感熱紙などを用いることができる。
ラベル１における粘着性層４を形成するための粘着剤としては、エマルジョン系、ゴム系、アクリル系などの粘着剤を用いることができる。
ラベル１における剥離性シート６は、その一面がラベル本体２の粘着性層４に対して剥離性を有し、その他面が、適宜の印刷方法によって図形および／または文字からなる画像情報を印刷することができる材料よりなるものとされる。剥離性シート６の具体例としては、粘着性層４に接する表面にシリコーンがコーティングされた紙基材よりなるものなどが挙げられる。
【００２８】
貼付対象物Ｗは、被貼付部９を有するものである。
そして、貼付対象物Ｗにおける被貼付部９は、表面にラベル本体２が貼付された当該被貼付部９の裏面側から、当該被貼付部９を介して貼付対象物Ｗに関する副情報を視認し得るものとされている。
具体的には、被貼付部９は、表面が略平坦な被着部分９Ａと、当該被着部分９Ａの表面にラベル本体２の粘着性領域が接触する状態に貼付されたときに、当該ラベル本体２の副情報表示領域に表示された貼付対象物Ｗに関する副情報を、被貼付部９の裏面側から視認し得る性質を有する視認可能部分９Ｂとからなる。
視認可能部分９Ｂは、透明な部材よりなるものであってもよく、被着部分９Ａに囲まれることによって形成された開口であってもよく、また、網状部材によって閉塞された開口であってもよい。
被貼付部９としては、被着部分９Ａおよび視認可能部分９Ｂが透明な部材により一体的に形成されてなるものであることが好ましい。
【００２９】
本発明のラベル貼付物は、以下のように作製される。すなわち、まず、ラベル１の剥離性シート６における台紙シート７の端部（例えば図１（ｂ）において右端部）を、指で押さえることなどにより固定し、この状態において、ラベル基材３と粘着性層４とが積層されたラベル積層体８を、図１（ｃ）に示されるように、その端部から剥離性シート６の台紙シート７と離間する方向に剥離する。剥離性シート６には、粘着性層４上の一部の領域４Ｒを覆う位置に切り込み６Ｋが形成されているので、当該切り込み６Ｋに全周が囲まれてなる情報表示シート５が、ラベル積層体８の台紙シート７からの剥離に伴って当該ラベル積層体８の粘着性層４に接着されたままラベル積層体８に追随して当該ラベル積層体８と共に島状部分として剥離される。これにより、図１（ｄ）に示されるように、ラベル１からラベル本体２が分離される。
次いで、ラベル１から分離されたラベル本体２を、貼付対象物Ｗの被貼付部９の被着部分９Ａの表面に、当該ラベル本体２の粘着性領域が接触する状態に貼付する。これにより、ラベル本体２の副情報表示領域に表示された貼付対象物Ｗに関する副情報が、被貼付部９の視認可能部分９Ｂの裏面側から視認し得る状態となる。
以上のラベル貼付物の作製における、台紙シート７からのラベル本体２の剥離工程および貼付対象物Ｗに対するラベル本体２の貼付工程は、自動化が図られてもよい。
【００３０】
以上の構成を有するラベル貼付物は、表面に貼付対象物Ｗに関する主情報が表示されると共に裏面に当該貼付対象物Ｗに関する副情報が表示されたラベル本体２が、貼付対象物Ｗの被貼付部９に貼付され、当該被貼付部９が、表面にラベル本体２が貼付された当該被貼付部９の裏面側から、当該被貼付部９を介して貼付対象物Ｗに関する副情報を視認し得るものである。
従って、このようなラベル貼付物によれば、ラベル本体２の貼付対象物Ｗへの貼付という簡単な作業によって、貼付対象物Ｗに関する主情報が貼付対象物Ｗに貼付されたラベル本体２の表面に表示されると共に、貼付対象物Ｗに関する副情報を、当該貼付対象物Ｗの裏面側から被貼付部９を介して視認することができる。
その結果、貼付対象物Ｗがラベル本体２を貼付することのできる部分が小さいものであったとしても、所期の貼付対象物Ｗに関する主情報および副情報を確実に貼付対象物Ｗに表示することができる。また、ラベル本体２の貼付対象物Ｗへの貼付という一度の作業によって、貼付対象物Ｗに関する主情報および副情報を、当該貼付対象物Ｗの表面および裏面に容易に表示することができる。
【００３１】
以下、上記のラベル貼付物が、検体容器を収納するケース本体（貼付対象物）にラベル本体が貼付された検体容器収納ケースである場合の具体例について説明する。
【００３２】
〔検体容器収納ケース〕
本発明の検体容器収納ケースは、上記のラベル貼付物における貼付対象物Ｗが、検体容器を収納するケース本体であるものである。
検体容器収納ケースとしては、ケース本体が、樹脂シートの成形品よりなり、一方のケース部材と他方のケース部材とにより内部に検体容器収納空間を形成するブリスターパックであり、一方のケース部材の一部が被貼付部として、その表面に、ラベル本体２が貼付されてなるものが挙げられる。
【００３３】
このブリスターパックは、いわゆる「クラムシェル型」のブリスターパックであって、一方のケース部材が他方のケース部材に対して開閉自在に構成されており、例えば物品の輸送用のものとして用いられる。収納される物品は、特に限定されるものではないが、このブリスターパックは、例えば、便試料を内部に保持する採便管の輸送用のものとして好適に用いられる。
【００３４】
このようなブリスターパックに用いられるラベル本体２の表裏面にそれぞれ表示される主情報および副情報は、以下のようなものとすることができる。
具体的には、図２に示されるように、ラベル本体２の表面（ラベル基材３の表面）に表示される主情報が、被験者に関する情報である検体管理情報Ｐ１とされると共に、ラベル本体２の裏面（情報表示シート５の表面）に表示される副情報が、図３に示されるように、例えば当該ブリスターパックに収容される検体容器の使用方法に関するインストラクション情報Ｐ２とされる。
【００３５】
ラベル本体２の表面に表示される検体管理情報Ｐ１は、被検者の氏名および被検者に個別に付与された識別コードのいずれか一方または両方を含むものであることが好ましい。また、検体管理情報Ｐ１は、被検者の年齢および性別のいずれか一方または両方を含むものであってもよい。検体管理情報Ｐ１として表示し得る他の情報としては、被検者が勤務する会社名および部署等の被検者に関する情報や、検査項目に関する情報などを例示することができる。
また、ラベル基材３の表面には、検体の採取日を記入するための採取日記入欄が記載されていてもよい。
【００３６】
ラベル本体２の裏面に表示されるインストラクション情報Ｐ２としては、採便の方法を説明して指示する検体の採取方法を示すイラストレーションが挙げられる。このインストラクション情報Ｐ２においては、視認者が、検体容器を用いた検体の採取方法の全てを一瞥により理解することができる程度の情報であることが好ましい。
【００３７】
図４は、本発明の検体容器収納ケースを構成するケース本体の一例としてのブリスターパックの一例における構成を示す平面側斜視図である。図５は、図４に示すブリスターパックが開状態とされた状態を示す平面側斜視図である。図６は、図４に示すブリスターパックを展開した状態で示す平面側斜視図である。
このブリスターパック１０は、樹脂シートを例えば真空成形または圧空成形することによって得られる成形品よりなり、一方のケース部材である蓋部３０と、他方のケース部材である本体部１１とが折り曲げ部４０を介して一体に連結されて構成されている。このブリスターパック１０は、本体部１１と蓋部３０とが嵌合された状態（閉状態）において、平面視で略長方形状の形態を有している。
【００３８】
本体部１１は、一の採便管５０を受容して保持する採便管収容凹部２０と、採便管収容凹部２０の開口端縁の全周にわたって外方に延出するフランジ部１５とを有する。
この例のブリスターパック１０において収納される採便管５０は、外形形状が管軸方向における一端部と他端部とで互いに異なるものであって、一端が開口すると共に他端が例えば半球面状に閉塞された円筒状の採便管本体５１と、採便管本体５１の開口部に着脱可能に装着された円筒状のキャップ５２とにより構成されている。
【００３９】
採便管収容凹部２０は、板状空間を形成する第一凹部２１と、この第一凹部２１の底面側に段部２３を介して連続する第二凹部２２とを有する。
【００４０】
第一凹部２１の内面には、収容される採便管５０の管軸方向（以下、「長さ方向」という。）に延びる係合用凹溝２４が形成されている。具体的には、係合用凹溝２４は、第一凹部２１を画成する互いに対向して長さ方向に延びる一対の周壁の内面の各々に、例えば開口面に対して平行に長さ方向に延びるよう形成されている。
【００４１】
第二凹部２２は、採便管５０の一端部および他端部の少なくとも一方の端部の外形形状に適合する空間形状を有する。この例においては、第二凹部２２は、長さ方向における一端側部分が採便管５０のキャップ５２の外形形状に適合する空間形状を有すると共に他端側部分が採便管５０の採便管本体５１の外形形状に適合する空間形状を有する。すなわち、このブリスターパック１０においては、採便管５０が、採便管本体部分が第二凹部２２の他端側である折り曲げ部側（以下、「連結端側」という。）に位置される姿勢で、第二凹部２２内に収容される。
【００４２】
また、第二凹部２２を画成する互いに対向して長さ方向に延びる一対の周壁の内面の各々には、採便管５０を嵌合状態で保持するための突起部が形成されている。この例においては、第二凹部２２における一端側（以下、「開閉端側」という。）部分の周壁に、一対の嵌合用突起部２５ａが互いに対向して形成されており、採便管５０のキャップ部分が当該一対の嵌合用突起部２５ａによって狭持されて嵌合状態で保持される。また、第二凹部２２の後端側部分の周壁には、一対の嵌合用突起部２５ｂが互いに対向して形成されており、採便管５０における採便管本体部分が当該一対の嵌合用突起部２５ｂによって狭持されて嵌合状態で保持される。
【００４３】
このブリスターパック１０における蓋部３０は、内面側に突出して形成された、本体部１１の採便管収容凹部２０における第一凹部２１内に挿入される凸部３１と、この凸部３１の外面側に位置される端部において外周の全周にわたって外方に延出するよう形成されたフランジ部３５とを有する。
【００４４】
このブリスターパック１０においては、検体管理情報Ｐ１が表示されたラベル本体２が蓋部３０の外面に貼付されることから、蓋部３０の外面は平坦面とされていることが好ましい。然るに、蓋部３０が平坦なシート状に構成されていると、例えば輸送時などにおいて蓋部３０が変形するなどして採便管５０が脱落するおそれがあるため、蓋部３０は十分な強度を有する構成とされていることが望ましい。このような理由から、この例においては、凸部３１は、本体部１１の採便管収容凹部２０の開口形状に適合する矩形枠状に構成されている。この凸部３１は、蓋部３０の外面側から見ると、幅の狭い凹溝によって構成されている。
【００４５】
蓋部３０の内面側に形成された、凸部３１によって囲まれた空間は、少なくとも一部が採便管５０の外形と適合する空間形状を有する。すなわち、この例においては、凸部３１における連結端側の内壁が、採便管本体５１の他端部に係る球面に沿った湾曲した形状を有している。一方、凸部３１における開閉端側の内壁は、採便管５０におけるキャップ５２の一端面に沿った平坦な形状とされている。
【００４６】
また、凸部３１における互いに対向して長さ方向に延びる一対の周壁部分の外壁の外面の各々には、本体部１１の採便管収容凹部２０における第一凹部２１に形成された係合用凹溝２４の各々に係合される係合用突条３２が形成されている。このように、このブリスターパック１０においては、本体部１１における係合用凹溝２４と蓋部３０における係合用突条３２による長さ方向に延びる係合部が形成されるため、蓋部３０を容易に開けることのできる構造でありながら、ブリスターパック１０の輸送時などにおいて、蓋部３０が期せずして開状態とされることを回避することができる。
【００４７】
蓋部３０のフランジ部３５における開閉端側に位置される部分（開閉端側フランジ部分３６）の内面には、突起部３８が形成されている。なお、密着防止用の突起部は、本体部１１における開閉端側フランジ部分１６の内面に形成されていてもよい。また、蓋部３０における開閉端側フランジ部分３６は、本体部１１における開閉端側フランジ部分１６に対して長さ方向外方に向かって拡開するよう傾斜していてもよい。
【００４８】
そして、本発明の検体容器収納ケースにおいては、ブリスターパック１０の蓋部３０に被貼付部が設けられている。具体的には、蓋部３０の外面における略平坦な外縁領域を有する矩形枠状部分（フランジ部３５）が被着部分とされると共に、当該被着部分に囲まれた部分（特に凸部３１に囲まれた部分）が視認可能部分とされる。このブリスターパック１０の蓋部３０は一体的に成形された部材であるので、被貼付部を構成する被着部分および視認可能部分は、連続した一体物として形成されたものとされている。
被貼付部には、ラベル本体２の粘着性領域が当該被貼付部の被着部分の平坦な表面に接着される。これにより、ブリスターパック１０の蓋部３０は、図４に示されるように、その外面の略全面がラベル本体２によって被覆された状態とされる。
【００４９】
ブリスターパック１０を形成するための樹脂シートとしては、例えば、ポリエチレンテレフタレート系樹脂、塩化ビニル系樹脂、ポリプロピレン系樹脂、ポリスチレン系樹脂などの一方から他方に配置された画像情報を視認し得る程度の透明性を有する熱可塑性樹脂からなるシートを用いることができる。
このような透明性を有する樹脂シートによって形成された蓋部３０は、図６に示されるように、その表面にラベル本体２が貼付された被貼付部の裏面側から、すなわち、蓋部３０の裏面側から、当該被貼付部を介してラベル本体２の裏面に表示された、ブリスターパック１０に収納される検体容器（採便管）に関するインストラクション情報Ｐ２を視認し得るものとなる。
また、ブリスターパック１０は、本体部１１と蓋部３０とが嵌合されて内部に検体容器収納空間が形成され、かつ、採便管５０が当該検体容器収納空間に収容されていない状態において、当該蓋部３０に貼付されたラベル本体２の情報表示シートに表示されたインストラクション情報Ｐ２を、本体部１１の表面側から、当該本体部１１および蓋部３０を介して視認し得るものとされる。さらに、採便管５０が検体容器収納空間に収容されているか否かを外部から視認することができる。
【００５０】
樹脂シートとしては、ブリスターパックが採便管用のものである場合には、採便管５０に保持された便試料の色と補色の関係にある色、例えば緑色または青色などの有色透明な樹脂シートが用いられることが好ましい。一般に、採便管５０は透光性を有するものであるため、ブリスターパックが有色透明であることにより、便試料本来の色とは異なる色、例えば黒色（混色）に見えるようにすることができる。
【００５１】
樹脂シートの厚みは、例えば０．２〜０．３ｍｍであることが好ましい。
【００５２】
本発明の検体容器収納ケースは、以下のように作製される。すなわち、まず、ラベル１の剥離性シート６における台紙シート７の端部を指で押さえることなどにより固定し、この状態において、ラベル基材３と粘着性層４とが積層されたラベル積層体８を、その端部から剥離性シート６の台紙シート７と離間する方向に剥離する。剥離性シート６には、粘着性層４上の一部の領域４Ｒを覆う位置に切り込み６Ｋが形成されているので、当該切り込み６Ｋに全周が囲まれてなる情報表示シート５が、ラベル積層体８の台紙シート７からの剥離に伴って当該ラベル積層体８の粘着性層４に接着されたままラベル積層体８に追随して当該ラベル積層体８と共に島状部分として剥離される。これにより、ラベル１からラベル本体２が分離される。
次いで、ラベル１から分離されたラベル本体２を、ブリスターパック１０の蓋部３０（被貼付部）の被着部分の表面に、当該ラベル本体２の粘着性領域が接触する状態に貼付する。これにより、ラベル本体２の副情報表示領域に表示されたブリスターパック１０に収容される採便管５０の使用に関するインストラクション情報Ｐ２が、蓋部３０の視認可能部分の裏面側から視認し得る状態となる。
以上の検体容器収納ケースの作製における、台紙シート７からのラベル本体２の剥離工程およびブリスターパック１０の蓋部３０に対するラベル本体２の貼付工程は、自動化が図られてもよい。
【００５３】
以上のブリスターパック１０は、採便管５０が内部に収容されたままの状態で、検査機にセットされて用いられ、当該検査機における蓋部開用治具によって開状態とされると共に採便管取り出し治具によって採便管５０がブリスターパック１０より取り出される。
【００５４】
上記構成のブリスターパック１０にラベル本体２が貼付された検体容器収納ケースは、表面に検体管理情報Ｐ１が表示されると共に裏面にブリスターパック１０に収容される採便管５０の使用に関するインストラクション情報Ｐ２が表示されたラベル本体２が、ブリスターパック１０の蓋部３０の外面に貼付され、当該蓋部３０が、この蓋部３０の裏面側から当該蓋部３０を介してブリスターパック１０に収容される採便管５０の使用に関するインストラクション情報Ｐ２を視認し得るものである。
従って、このようなブリスターパック１０にラベル本体２が貼付された検体容器収納ケースによれば、ラベル本体２のブリスターパック１０の蓋部３０への貼付という簡単な作業によって、検体管理情報Ｐ１がブリスターパック１０の蓋部３０の外面に貼付されたラベル本体２の表面に表示されると共に、ブリスターパック１０に収容される採便管５０の使用に関するインストラクション情報Ｐ２を、蓋部３０の裏面側から当該蓋部３０を介して視認することができる。
その結果、ブリスターパック１０がラベル本体２を貼付することのできる部分が小さいものであっても、検体管理情報Ｐ１およびブリスターパック１０に収容される採便管５０の使用に関するインストラクション情報Ｐ２を確実にブリスターパック１０に表示することができる。また、ラベル本体２のブリスターパック１０への貼付という一度の作業によって、検体管理情報Ｐ１およびブリスターパック１０に収容される採便管５０の使用に関するインストラクション情報Ｐ２を、ブリスターパック１０の蓋部３０の表面および裏面に容易に表示することができる。
【００５５】
〔検体採取用キット〕
本発明の検体採取用キットは、図５に示されるように、例えば採便管などの検体容器と、この検体容器を収納する上記のブリスターパック１０などのケース本体に、ラベル本体２が貼付されてなる検体容器収納ケースとを備えてなる。
【００５６】
以上、本発明の実施形態について説明したが、本発明は上記の実施形態に限定されるものではなく、種々の変更を加えることができる。
例えば、本発明のラベルは検体容器収納ケース用のラベルに限定されず、種々の用途のラベルに適用することができる。
また、本発明の検体容器収納ケースにおいては、ケース本体は図４〜図６に示すような、一方のケース部材と他方のケース部材とが折り曲げ部を介して連続するブリスターパックの形態に限定されず、種々の形態のケース本体を採用することができる。
【符号の説明】
【００５７】
１      ラベル
２      ラベル本体
３      ラベル基材
４      粘着性層
４Ｒ    一部の領域
５      情報表示シート
６      剥離性シート
６Ｋ    切り込み
７      台紙シート
８      ラベル積層体
９      被貼付部
９Ａ    被着部分
９Ｂ    視認可能部分
１０    ブリスターパック
１１    本体部
１５    フランジ部
１６    開閉端側フランジ部分
２０    採便管収容凹部
２１    第一凹部
２２    第二凹部
２３    段部
２４    係合用凹溝
２５ａ  嵌合用突起部
２５ｂ  嵌合用突起部
３０    蓋部
３１    凸部
３２    係合用突条
３５    フランジ部
３６    開閉端側フランジ部分
３８    突起部
４０    折り曲げ部
５０    採便管
５１    採便管本体
５２    キャップ
Ｐ１    検体管理情報
Ｐ２    インストラクション情報
Ｗ      貼付対象物
【図１】
2018205159.tif 000003
【図２】
2018205159.tif 000004
【図３】
2018205159.tif 000005
【図４】
2018205159.tif 000006
【図５】
2018205159.tif 000007
【図６】
2018205159.tif 000008
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
検体容器を収納するケース本体における被貼付部の表面にラベル本体が貼付された検体容器収納ケースであって、
前記ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなるものであり、
当該ラベル本体は、表面が当該ラベル本体の粘着性層に対して剥離性を有する剥離性シートの表面に剥離可能に支持されてなるラベルより剥離されたものであり、
当該ラベル本体の前記情報表示シートが、前記剥離性シートにおける切り込みに囲まれた部分により構成され、
検体容器を収納するケース本体における被貼付部は、表面にラベル本体が貼付された当該被貼付部の裏面側から、当該被貼付部を介して前記インストラクション情報を視認し得るものであることを特徴とする検体容器収納ケース。
【請求項２】
前記インストラクション情報が、検体の採取方法を示すイラストレーションであることを特徴とする請求項１に記載の検体容器収納ケース。
【請求項３】
前記ケース本体が、樹脂シートの成形品よりなり、一方のケース部材と他方のケース部材とにより内部に検体容器収納空間を形成するブリスターパックであり、
前記一方のケース部材の表面に、前記ラベル本体が貼付されてなることを特徴とする請求項１または請求項２に記載の検体容器収納ケース。
【請求項４】
前記ケース本体が、前記一方のケース部材と前記他方のケース部材とにより内部に検体容器収納空間が形成された状態において、当該一方のケース部材に貼付された前記ラベル本体の情報表示シートに表示されたインストラクション情報を、当該他方のケース部材の表面側から、当該他方のケース部材および一方のケース部材を介して視認し得るものであることを特徴とする請求項３に記載の検体容器収納ケース。
【請求項５】
請求項１乃至請求項４のいずれかに記載の検体容器収納ケースに用いられるラベル本体を有するラベルであって、
ラベル本体は、表面に検体管理情報が表示されたラベル基材、当該ラベル基材の裏面に形成された粘着性層、および、粘着性層上の一部の領域を覆うよう設けられた情報表示シートを有し、前記情報表示シートの粘着性層と接触しない表面に、ケース本体に収容される検体容器の使用に関するインストラクション情報が表示されてなり、
当該ラベル本体は、表面が当該ラベル本体の粘着性層に対して剥離性を有する剥離性シートの表面に剥離可能に支持されてなり、
当該ラベル本体の前記情報表示シートが、前記剥離性シートにおける切り込みに囲まれた部分により構成されていることを特徴とするラベル。
【請求項６】
前記検体管理情報および／または前記インストラクション情報は、印刷により記載されてなることを特徴とする請求項５に記載のラベル。
【請求項７】
検体容器と、この検体容器を収納する、請求項１乃至請求項４のいずれかに記載の検体容器収納ケースとを備えてなることを特徴とする検体採取用キット。
【手続補正３】
【補正対象書類名】明細書
【補正対象項目名】０００１
【補正方法】変更
【補正の内容】
【０００１】
本発明はラベル、当該ラベルより剥離されたラベル本体が貼付された検体容器収納ケース、並びに、当該検体容器収納ケースを備える検体採取用キットに関し、特に、例えば便試料を内部に保持した採便管の輸送用のものとして好適に用いられるケース本体にラベル本体が貼付された検体容器収納ケースに関する。
【手続補正４】
【補正対象書類名】明細書
【補正対象項目名】０００６
【補正方法】変更
【補正の内容】
【０００６】
本発明は、以上のような事情に基づいてなされたものであって、便試料の採取に係る情報等の、検体管理情報およびケース本体に収容される検体容器の使用に関するインストラクション情報を貼付によってケース本体に簡単に添付することができるラベル本体を有するラベル、当該ラベルより剥離されたラベル本体がケース本体に貼付された検体容器収納ケース、当該検体容器収納ケースを備える検体採取用キットを提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】００１１
【補正方法】変更
【補正の内容】
【００１１】
上記の検体容器収納ケースにおいては、前記ケース本体が、前記一方のケース部材と前記他方のケース部材とにより内部に検体容器収納空間が形成された状態において、当該一方のケース部材に貼付された前記ラベル本体の情報表示シートに表示されたインストラクション情報を、当該他方のケース部材の表面側から、当該他方のケース部材および一方のケース部材を介して視認し得るものであることが好ましい。
【手続補正７】
【補正対象書類名】明細書
【補正対象項目名】００１２
【補正方法】削除
【補正の内容】